(57)【特許請求の範囲】
【請求項１】
濡らした状態の毛髪に接触する測定電極と、この測定電極を形成した第１平面と、測定電極に対向した状態で近接し、濡らした状態の毛髪に接触する比較電極と、この比較電極を形成した第２平面と、両平面を対向させることにより毛髪を両電極間に挟み込む挟持調節機構と、両電極間に挟み込まれた毛髪のｐＨなどのイオン濃度を算出する演算手段を有する装置本体とを備え、かつ装置本体が測定結果の表示部を有し、少なくとも前記第１平面，第２平面の何れか一方が、濡らした状態の毛髪を両電極に接触させるように保持するガイド溝を有し、また、前記測定電極、比較電極がそれぞれシート型であって第１平面、第２平面に面一になるように取り付けられており、さらに、前記測定電極がＩＳＦＥＴで構成されていることを特徴とする毛髪の化学物性測定装置。
【請求項２】
濡らした状態の毛髪に接触する測定電極と、この測定電極を形成した第１平面と、測定電極に対向した状態で近接し、濡らした状態の毛髪に接触する比較電極と、この比較電極を形成した第２平面と、両平面を対向させることにより毛髪を両電極間に挟み込む挟持調節機構と、両電極間に挟み込まれた毛髪のＯＲＰを算出する演算手段を有する装置本体とを備え、かつ装置本体が測定結果の表示部を有し、少なくとも前記第１平面，第２平面の何れか一方が、濡らした状態の毛髪を両電極に接触させるように保持するガイド溝を有し、また、前記測定電極、比較電極がそれぞれシート型であって第１平面、第２平面に面一になるように取り付けられており、さらに、前記測定電極が白金電極で構成されていることを特徴とする毛髪の化学物性測定装置。
【請求項３】
前記装置本体が、測定結果を送信可能なデータ送信部を有する請求項１または２に記載の毛髪の化学物性測定装置。
【請求項４】
前記装置本体が測定結果を用いて毛髪の状態評価を行なってこれを表示部に表示する評価機能を有する請求項１〜３の何れかに記載の毛髪の化学物性測定装置。
【発明の詳細な説明】
【０００１】
【産業上の利用分野】
本発明は、毛髪の化学物性測定装置に関する。
【０００２】
【従来の技術】
従来より、ヘヤーサロンの経営者、美容師、理容師などの美容関係の従事者は顧客の毛髪を適切に取り扱うことが求められている。特に、近年は毛髪にパーマをかけたり、染色および脱色することが行われており、適切な処理を行うためには毛髪の傷み具合を的確に判断することが求められる。そこで、大多数の美容関係の従事者は各顧客の毛髪の傷み具合を手触りや光沢などから経験的に判断し、顧客に合わせたパーマ液などの薬液を使用していた。
【０００３】
一方では、毛髪の傷み度合いをより的確に判断し、この判断に適合する薬液を使用するために、毛髪の化学物性を測定することも試みられている。毛髪の傷み具合を判断するための指針となる化学物性としてはｐＨおよび酸化還元電位（ＯＲＰ）を考えることができる。そこで、一部の美容関係の従事者は、顧客の毛髪を取り扱う前に、顧客の毛髪の一部を採取してそのｐＨおよび／またはＯＲＰを測定することが行われている。
【０００４】
ｐＨを測定するための測定装置としては、ガラス電極を用いた測定装置がある。ｐＨの測定には、例えば図５に示されるような、ガラス電極３１と比較電極３２とが対になったものが使用される。なお、図５において、３３は内部電極、３４は内部液、３５は電極応答部、３６は比較電極内極、３７は比較電極内部液、３８は液絡部、３９は測定対象となる水などの液体を入れるビーカなどの容器である。
【０００５】
このような従来の電極３１，３２を用いて毛髪のｐＨを測定する場合、被検者から採取した毛髪Ｈを適当な長さに切断して前記容器３９内に投入し、この毛髪Ｈを混入した液体をサンプルＳとして、このサンプルＳ内に両方の電極３１，３２を浸漬していた。
【０００６】
図６はｐＨを測定する別の化学物性測定装置の構成を示している。本例の化学物性測定装置はスプーンのように形成された凹部４０の底部に、平面状ｐＨ応答ガラスによるｐＨセンサ（測定電極）４１と、比較電極４２を形成したものである。すなわち、測定対象溶液を前記凹部４０に汲み取ることにより、比較的少量であるサンプルのｐＨを測定することができる。
【０００７】
【発明が解決しようとする課題】
しかしながら、図５に示す従来の化学物性測定装置は、電極３１，３２にガラスを用いているため、形状に自由度が低く、その形状が棒状であるから、これらの電極３１，３２を浸漬できる程度の多量の液体を用いた毛髪ＨのｐＨ測定を行わなければならなかった。
【０００８】
また、液体の量が多いために十分な精度の測定値を得るためには多量の毛髪Ｈを必要としているだけでなく、まず毛髪Ｈを被検者から採取してこれを切断し、容器３９内に投入して測定するといった煩わしい操作を行わなければならなかった。加えて、剥き出しになるガラスなどで形成された電極３１，３２は破損の可能性があるために取り扱いが難しいという問題もあった。
【０００９】
同様に、図６に示す化学物性測定装置においても測定部に凹部４０などの立体的な構造があるために、毛髪をそのまま凹部４０に投入してこのｐＨを測定することは不可能であるから、まず被検者から毛髪Ｈを採取した後にこれを短く切断して、液体に混ぜた状態で測定を行なう必要があった。
【００１０】
すなわち、従来の測定装置のセンサ部を構成する測定電極４１や比較電極４２は、その材質や形状によって、多量の毛髪Ｈを必要としていたり煩わしい前処理を行なう必要があるという問題があった。また、測定に際して毛髪Ｈを先ず採取する必要があり、美容室の顧客の中には、これを嫌う人がいるという問題があった。
【００１１】
このため、一般的に毛髪Ｈの傷み度合いの判断は、美容関係の従事者による経験や勘に頼らざるを得なかった。また、経験や勘による判断には明確な基準がないために、使用する薬液の強度は控え目に用いられ、パーマの当たりが弱かったり、染色が十分でなかったりすることにより、十分の成果が得られるまで多くの時間を必要とすることもあった。加えて、美容室の顧客の中には、パーマ液やシャンプ、リンスの残留によって生じる毛髪への影響や頭皮への安全性を懸念することもあるが、これを確認する手段がなかった。
【００１２】
本発明は、上述の点を考慮に入れてなされたものであり、被検者の毛髪を切ることなくその化学物性を測定して、毛髪の傷み具合など、毛髪処理に必要な数値的指標を手軽にチェックすることができる毛髪の化学物性測定装置を提供することを目的としている。
【００１３】
【課題を解決するための手段】
上記目的を達成するため第１発明の毛髪の化学物性測定装置は、濡らした状態の毛髪に接触する測定電極と、この測定電極を形成した第１平面と、測定電極に対向した状態で近接し、濡らした状態の毛髪に接触する比較電極と、この比較電極を形成した第２平面と、両平面を対向させることにより毛髪を両電極間に挟み込む挟持調節機構と、両電極間に挟み込まれた毛髪のｐＨなどのイオン濃度を算出する演算手段を有する装置本体とを備え、かつ装置本体が測定結果の表示部を有し、少なくとも前記第１平面，第２平面の何れか一方が、濡らした状態の毛髪を両電極に接触させるように保持するガイド溝を有し、また、前記測定電極、比較電極がそれぞれシート型であって第１平面、第２平面に面一になるように取り付けられており、さらに、前記測定電極がＩＳＦＥＴで構成されていることを特徴としている。
また、上記目的を達成するため第２発明の毛髪の化学物性測定装置は、濡らした状態の毛髪に接触する測定電極と、この測定電極を形成した第１平面と、測定電極に対向した状態で近接し、濡らした状態の毛髪に接触する比較電極と、この比較電極を形成した第２平面と、両平面を対向させることにより毛髪を両電極間に挟み込む挟持調節機構と、両電極間に挟み込まれた毛髪のＯＲＰを算出する演算手段を有する装置本体とを備え、かつ装置本体が測定結果の表示部を有し、少なくとも前記第１平面，第２平面の何れか一方が、濡らした状態の毛髪を両電極に接触させるように保持するガイド溝を有し、また、前記測定電極、比較電極がそれぞれシート型であって第１平面、第２平面に面一になるように取り付けられており、さらに、前記測定電極が白金電極で構成されていることを特徴としている。
【００１４】
したがって、測定に際して洗髪するなどして濡らした状態の毛髪を測定電極と比較電極の間に挟み込むだけで、この毛髪の化学物性（ｐＨなどのイオン濃度またはＯＲＰ）の測定を行うことができる。測定結果は表示部に表示されるので、この毛髪の傷み度合いを的確に判断することができる。また、毛髪を被検者から採取することなくその状態を判断できるので手間がかからないだけでなく、被検者の毛髪を大切に扱うことができ、美容室などの顧客をためらうことなく被検者としてその毛髪の傷み具合を手軽に測定することができる。そして、デリケートな両電極が外部に剥き出しになっていないので、取扱いが容易である。
【００１５】
しかも、少なくとも前記第１平面，第２平面の何れか一方が、濡らした状態の毛髪を両電極に接触させるように保持するガイド溝を有し、また、前記測定電極、比較電極がそれぞれシート型であって第１平面、第２平面に面一になるように取り付けられており、さらに、前記測定電極がＩＳＦＥＴまたは白金電極で構成されているので、両平面によって挟み込んだ毛髪を的確に電極に当接させることができ、より正確な測定を行うことができる。
【００１６】
【００１７】
【００１８】
さらに、第１発明および第２発明の毛髪の化学物性測定装置を美容関係の従事者が用いることにより、顧客の毛髪に対して最も適切なパーマ液などの薬液を容易に選択して短時間で施すことができミスを効果的に無くすことができる一方、顧客は安心できる。そして、毛髪に使用する化粧品などの販売者は各毛髪の種類に合わせたパーマ剤、カラー剤などを品揃えすることが可能となる。
【００１９】
前記装置本体が、前記表示部の設置位置に対して両電極を用いた測定位置を自在に変えて使用可能とするための通信部を有する場合には、特に美容関係の店舗において、表示部を顧客から見やすい位置に置くことにより、測定結果を顧客と共に確認することができ、的確な処理を施していることを顧客と共に確認することが可能となる。なお、表示部にはｐＨおよび／またはＯＲＰの数値が毛髪の傷み具合をどのように表わしているかについての説明を同時に表示することにより、顧客は自らの毛髪の状態を的確に判断することができる。
【００２０】
前記装置本体が測定結果を用いて毛髪の状態評価を行なってこれを表示部に表示する評価機能を有する場合には、毛髪の傷み度合いなどの状態評価を的確に行うことができる。特に、この同じ状態評価が用意されている薬品にも表記されている場合には、この状態評価を用いて毛髪に最も適合する薬液を用いて処理を施すことが可能となり、薬液の選択ミスの発生をほゞ確実に防止することができる。また、毛髪の化学物性の測定によって、パーマ液やシャンプ、リンスの残留がないことも確認することができ、これによって頭皮への安全性を強調することができる。
【００２１】
【発明の実施の形態】
図１は、本発明の毛髪の化学物性測定装置１の構成を示す全体図である。図１において、本例の毛髪の化学物性測定装置１は装置本体２と、この装置本体２に着脱自在に取り付けられる測定部３とからなる。装置本体２は測定値データの送信部２ｔおよび受信部２ｒからなる通信部Ｔ（データ送信部）によってワイヤレスのデータ通信を行なう通信機能を有する子機２Ａと親機２Ｂとからなっている。
【００２２】
Ｈは測定対象となる毛髪であり、前記測定部３は毛髪Ｈの種類および測定する化学物性などによって適宜選択する。以下に示す例では毛髪ＨのｐＨを測定する場合を説明する。測定する化学物性はｐＨセンサまたは測定する化学物性に対応するセンサを設けた測定部３を適当に選ぶことによりｐＨのみならず特定イオンのイオン濃度、ＯＲＰなどを容易に選択することが可能である。
【００２３】
装置本体２には、毛髪ＨのｐＨを算出する演算手段としてのマイクロコンピュータなどの演算処理部（ＣＰＵ）４と、このＣＰＵ４による演算結果を表示する表示部５Ａ，５Ｂを有している。表示部５Ａは操作者の手元で測定値と簡単な状態評価値を表示するものであり、表示部５Ｂは例えば美容室の鏡の横など、顧客から見やすい所定の場所に設置されて、ｐＨの測定値Ｄ1 、状態評価値Ｄ2 、および測定値（本例の場合ｐＨ）に対する評価の基準となる関係Ｄ3 などの詳細情報を表示する。なお、状態表示値Ｄ2 は幾らかの段階表示（例えば本例では「ダメージレベル」として５段階表示）することにより、直観的な判断を行うことができる。
【００２４】
測定部３は濡らした状態の毛髪Ｈおよびこの濡らした状態の毛髪Ｈに付着した水Ｗなどの液体に接触する測定電極６と、この測定電極６を形成した第１平面７ａを有する固定台７と、測定電極６に対向した状態で近接する比較電極８と、この比較電極８を形成した第２平面９ａを有する可動台９と、各台７，９の基端部に形成された軸芯Ｏを中心に、可動台９を固定台７に対して傾動自在に保持するヒンジ１０とを有している。
【００２５】
１１は前記可動台９の基端部分に形成された操作レバー、１２は可動部９を矢印Ａの方向に付勢する弾性部材（ばね）、１３は第１平面７ａの上面に形成されて毛髪を両電極６，８に接触させるように保持するガイド溝、１４はこのガイド溝１３のギャップ１３ｇに対応する位置の第２平面９ａに形成されたガイド溝である。つまり、本例の場合、前記ヒンジ１０，ばね１２が、前記両平面７ａ，９ａを対向させて毛髪Ｈを挟み込むように前記電極６，８を近接させる閉状態（実線）および両平面の間を開いた開状態（一点鎖線）に位置変更（傾動）可能とする挟持調節機構１５を構成する。
【００２６】
１６は前記測定電極６に接続された信号線、１７は比較電極７に接続された信号線、１８は各信号線１６，１７を装置本体２に接続するためのコネクタである。
【００２７】
前記装置本体２および測定部３の外カバーは例えばＡＢＳ樹脂などによって形成されており、特に前記測定電極６および比較電極８を埋設する固定台７および可動台９は導電性のない材料であることが求められ、かつ、ある程度の強度や耐薬品性を有する材料によって形成されることが望ましい。
【００２８】
表示部５Ａは例えば液晶表示部，表示部５Ｂは液晶またはＣＲＴ表示部であり、ＣＰＵ４によって計算された測定結果Ｄ1 や毛髪Ｈの状態評価値Ｄ2 を適宜表示するものである。なお、装置本体２には他にも電源スイッチや測定開始スイッチなどの入力スイッチを設ける必要があるが、本例では説明を簡略化するためにこれらの図示を省略する。
【００２９】
前記測定電極６はｐＨ測定用のＩＳＦＥＴである。つまり、ＩＳＦＥＴによって測定電極６を形成することにより、その表面積を小さくすると共に耐久性の向上を図っている。しかしながら、この測定電極６をガラス電極とし、これを固定台７の表面７ａに対して面一になるように取り付けてもよいことは言うまでもない。
【００３０】
前記比較電極８は例えば本願出願人が提案した実用新案公告公報：平成４年１６２１６号に示されている、シート型の比較電極の構成を採用している。
【００３１】
また、本例では測定電極６を固定台７に形成し、比較電極８を可動台９に形成する例を示している。しかしながら、本発明はこの点を限定するものではない。すなわち、測定電極６を可動台９、比較電極８を固定台７に設けることも可能であり、両電極６，８を可動する台にしてもよい。
【００３２】
操作レバー１１は作業者による可動台９の開閉操作を容易とするものであり、ばね１２は操作者が操作レバー１１から手を放したときに自動的に可動台９が矢印Ａ方向に回動するように付勢するものである。なお、図１に示すばね１２はスプリングであるが、これは板ばねであってもよく、合成樹脂などを弾性部材として用いてもよい。
【００３３】
前記ガイド溝１３，１４を構成するために台７，９の幅方向にほゞ平行に長い突起１３ａ，１４ａを、両平面７ａ，９ａに盛り上げて形成しており、これによって、その製造コストを抑えることができるが、この突起１３ａ，１４ａを固定台７と別体にして平面７ａに着脱自在としてもよい。この場合、突起１３ａ，１４ａの交換によって間隔ｄを変更することができる。つまり、毛髪Ｈの太さに合わせることができる。または、突起１３ａ，１４ａの高さを螺子の締付け量などによって自在に調節可能としてもよい。
【００３４】
また、本例では突起１３ａが電極６を設けた部分において切断されることにより、ガイド溝１３にギャップ１３ｇを形成しており、このギャップ１３ｇに対応する位置の第２平面９ａにガイド溝１４を形成するための突起１４ａを形成しているが、本発明はこの構成を限定するものではない。すなわちガイド溝１３，１４を形成するための突起１３ａ，１４ａは第１平面７または第２平面の何れか一方に形成されていてもよい。
【００３５】
図２は本例の毛髪の化学物性測定装置１を用いて、毛髪ＨのｐＨを測定する時の動作の例を示す一部拡大断面図であって、図２（Ａ）は可動台９と固定台７との間に毛髪Ｈを挟み始めた状態を示しており、図２（Ｂ）は可動台９と固定台７が完全に当接した状態を示している。以下、図１，２を参照して、本例の毛髪の化学物性測定装置１を用いた毛髪ＨのｐＨの測定方法を説明する。
【００３６】
本発明の化学物性測定装置１を用いて毛髪ＨのｐＨを測定する場合には、まず被検者の毛髪Ｈを洗髪したり霧吹きをかけるなどして幾らか濡らす必要がある。次いで、作業者は操作レバー１１を用いて可動台９を開き、図１の拡大図に示すように被検者の毛髪Ｈのうち幾らか水Ｗで濡らした部分を開いた可動台９と固定台７の間に位置させて操作レバー１１を離す。このとき、可動台９はばね１２の付勢力によって矢印Ａ方向に回動し、毛髪Ｈを挟み込むことができる。
【００３７】
毛髪Ｈを挟む瞬間には、図２（Ａ）に示すように、何本か（本例では３本）の毛髪Ｈがガイド溝１３，１４を構成する突起１３ａ，１４ａにガイドされて、溝１３，１４の中央に寄せられる。そして、図２（Ｂ）に示すように、溝１３，１４内に入った毛髪Ｈが前記測定電極６および比較電極８に密着させられると共に、両電極６，８間の各毛髪Ｈの間の空間には、毛髪Ｈに付着させておいた液体Ｗが位置することになる。
【００３８】
測定に必要な毛髪Ｈの量は、両電極６，８の表面を毛髪Ｈがほゞ覆う程度で良い。すなわち、少しの毛髪Ｈを湿らせた状態で挟み込むだけで、両電極６，８間は毛髪ＨのｐＨを測定するのに理想的な環境となり、正確なｐＨの測定を行なうことができる。
【００３９】
また、電極６，８は何れも固定台７、可動台９によって形成される平面７ａ，９ａの内側に形成されるので、電極６，８が直接的に外部と接触することがないので、その破損を効果的に防止でき、毛髪の化学物性測定装置１の扱いが容易となる。とりわけ、本例のようにガイド溝１３，１４を設ける場合には、これが電極６，８のさらなる保護ともなり、堅牢性の向上に貢献できる。
【００４０】
加えて、本例において説明したように電極６がＩＳＦＥＴである場合には、ガラス電極によって形成する場合に比べてさらに堅牢性を増し加えることができる。同様に、本例の電極８はシート型の比較電極であるから堅牢性をさらに向上している。
【００４１】
なお、上述した挟持調節機構１５は本例において説明したものに限られるものではなく、種々の変形が考えられる。図３は前記挟持調節機構１５の変形例となる本例の別の測定部３Ａの例を示す図である。なお、本例において図１，２と同じ符号は付された部分は同一または同等の部材であるからその詳細な説明を省略する。
【００４２】
測定結果は装置本体２の表示部５Ａ，５Ｂに表示されるが、操作者の手元の表示部５Ａによって例えばｐＨの測定値Ｄ1 および状態評価値Ｄ2 などを確認することができる。また、顧客（被検者）から見やすい位置に配置された表示部５Ｂにもこれらの値Ｄ1 ，Ｄ2 が表示されることにより、顧客は自らの毛髪Ｈの状態を確認することができる。
【００４３】
ｐＨの測定値Ｄ1 がダメージレベルにどのように関係しているのかを示すグラフＤ3 などを同時または選択的に表示してもよい。何れにしても、前記ＣＰＵ４がｐＨの測定結果を用いて毛髪Ｈの状態評価を行って、これを特定の基準に合わせた段階表示する評価機能を有することにより、利用者や被検者は直観的に毛髪Ｈの状態を判断することができ、適切なヘアケアーを行うことができる。なお、ダメージレベルなどの状態評価の基準はｐＨのみならずＯＲＰその他イオン濃度などを用いてもよい。また、両方の値を用いてより的確な判断を行うことも可能である。
【００４４】
とりわけ、美容室などの美容関係の従事者にとっては、ダメージレベルを正確に判断できることにより、パーマや染色などの処理に用いる薬品を的確に判断することが可能である。つまり、経験や勘に頼った処理の選択ではなく、測定値を用いた処理を行うことにより顧客の毛髪Ｈを傷めることなく短時間で処理を施すことができる。また、毛髪Ｈの化学物性の測定によって、パーマ液やシャンプ、リンスの残留がないことも確認することができ、これによって頭皮への安全性を強調することができる。
【００４５】
一方、顧客側には自らの目で適切な処理を施されていることを実感できるので安心感が生じると共に、自らの毛髪Ｈの状態を確認して適切なダメージケアを行うことができる。また、本発明の毛髪の化学物性測定装置１では毛髪ＨのｐＨ測定によって毛髪に残留する成分が発生しないことを顧客自らが確認できるので、頭皮などへの悪影響がないという安心感がある。
【００４６】
さらに、化粧品の生産者にとっては、この毛髪の化学物性測定装置１によって測定される数値Ｄ1 ，Ｄ2 に合わせて安全であると証明できる製品を開発し、複数の製品を生産することにより販売を促進できる。また、本発明の毛髪の化学物性測定装置１が普及することにより、一般の顧客に対するシェアの拡大を図ることも可能である。
【００４７】
また、本例では測定値Ｄ1 の算出や状態評価値Ｄ2 の算出を行なうＣＰＵ４を子機２Ａ側に設けた例を示しているが、本発明はこれに限られるものではない。すなわち、子機２Ａ側には各電極６，８によって測定された値を送信する通信部２ｔ（データ送信部）を設けて、親機２Ｂの通信部２ｒによって受信した測定値を親機２Ｂ側に設けたＣＰＵ４によって処理することも可能である。この場合、親機２Ｂ側の通信部２ｒにも測定結果として求められたｐＨ値などのデータを送信させる送信部（データ送信部）としての機能を設け、通信部２ｔは親機２Ｂからのデータを受信できる受信部としての機能を設けることができる。また、一つの親機２Ｂに対して複数の子機２Ａを対応させて設けてもよい。
【００４８】
図３に示す測定部３Ａでは、前記可動台９を固定台７に対して平行移動するようにした挟持調節機構１９を形成する例を示している。すなわち、図１に示すように軸芯Ｏを中心に回動するように両平面７ａ，９ａを対向させる構成は簡素である反面、第１平面７ａと第２平面９ａとの間に角度が発生するので毛髪Ｈを挟持したとき電極６，８間の位置関係を厳密に平行にすることは難しいが、本例のように両平面７ａ，９ａを平行移動するように対面させることにより、毛髪Ｈに対して均等な力を加えることができるので、挟み込む力によって毛髪Ｈを傷めることがなく、かつ、先端部においても十分な挟み込みを行なうことができる。
【００４９】
【００５０】
【００５１】
【００５２】
図４は本発明の毛髪の化学物性測定装置１の別の変形例を示す図である。図４において、５Ｃ〜５Ｅは表示部であり、２２は前記装置本体２の親機２Ｂの別の例を示すサーバである。２３はサーバ２２に接続されたキーボード、２４はプリンタ、２５は各子機２Ａとのワイヤレスのデータ通信を行なう通信部、２６，２７は各表示部５Ｂ，５Ｄに接続されたコンピュータ、Ｎは各コンピュータ２２，２６，２７を接続する通信線である。また、２９ａ，２９ｂ…は毛髪Ｈの手入れを行うための薬品である。なお、本例において、図１〜３に示す部分とほゞ同一の部分には同一の符号を付している。
【００５３】
本例の毛髪の化学物性測定装置１では、複数のコンピュータ２２，２６，２７および子機２Ａが装置本体２として機能するが、何れも通信線Ｎを用いたデータ通信やワイヤレスによる通信を行なう通信部２５等のデータ送信部を有しているので、一つの装置本体２として機能する。
【００５４】
前記サーバ２２は毛髪Ｈの化学物性を算出すると共に、この演算結果を用いて毛髪Ｈの状態評価を行なう評価機能を有する演算処理手段の一例としての演算プログラムＰ1 、この演算プログラムＰ1 によって求められた値を用いて顧客の管理を行なう管理プログラムＰ2 、この管理プログラムＰ2 によって管理される顧客管理データベースＢ1 、および、各商品２９ａ，２９ｂ…の特性などの情報を記憶してなる製品管理データベースＢ2 などを記憶している。
【００５５】
すなわち、本発明の毛髪の化学物性測定装置１を用いることにより、各顧客毎にその毛髪Ｈのダメージチェックの結果を統計的に管理する顧客管理データベースＢ1 上にカルテを作成することができ、これによって、顧客の毛髪Ｈの傷み具合に合わせたヘアケアの指針を作ることができる。この顧客管理データベースＢ1 に記録された情報は例えばグラフＧやコメントＣなどにして顧客に示すことも可能である。
【００５６】
また、顧客の毛髪Ｈの状態に適合する商品２９ａ，２９ｂ…を管理プログラムＰ2 によって検索し、これを顧客に示すことも可能である。すなわち、美容室などの店舗は顧客に対する商品２９ａ，２９ｂ…販売を拡大することができる。一方、顧客は自らの毛髪Ｈの質に適合する商品２９ａ，２９ｂ…を紹介してもらうことにより、適切なヘアケアを受けることができる。
【００５７】
さらに、化粧品の製造業者は本発明の毛髪の化学物性測定装置１による状態評価値Ｄ2 に適合する商品を開発し、この商品を店舗に供給すると共に、この製品の情報を製品管理データベースＢ2 に追加することにより、この商品を効果的に販売することができる。なお、この製品管理データベースＢ2 に記録する情報はインターネットなどのネットワークを介して随時供給されるようにしてもよいことはいうまでもない。
【００５８】
つまり、図４において説明したシステムは、言わば、図１〜３に示した各毛髪の化学物性測定装置１を用いた毛髪の管理システムであり、その構成は、毛髪Ｈに接触する測定電極６と、この測定電極６に対向した状態で近接し、毛髪Ｈに接触する比較電極８と、両電極６，８によって測定された測定値（測定電位など）をデータ送信する通信部２ｔ（図１参照）を有する測定装置側本体（子機）２Ａと、前記通信部２ｔから得られた測定値を用いて、両電極６，８間に挟み込まれた毛髪Ｈの化学物性などの測定結果Ｄ1 〜Ｄ3 ，Ｃ，Ｇを算出する演算手段（サーバ２２のＣＰＵ，演算プログラムＰ1 など）を有する管理装置本体２２とを備え、かつ管理装置本体２２が測定結果の表示部２６，２７を有するものである。また、本例の場合、測定装置側本体２Ａに演算処理機能を有するＣＰＵ４を設ける必要はなく、また、測定装置側本体２Ａに表示部５Ａを設ける必要もない。
【００５９】
なお、上述した各例では毛髪の化学物性の一例としてｐＨを測定する例を示しているが、ｐＨに変えてＯＲＰを測定する場合には、測定電極６として白金電極を用いることができる。また、ｐＨ測定用の両電極６，８とＯＲＰ測定用の両電極６，８を２つ備えるようにしてもよい。
【００６０】
【発明の効果】
以上説明したように、本発明の毛髪の化学物性測定装置によれば、毛髪の化学物性を極めて容易に測定できるので、これを用いて毛髪の管理を適正に行うことができる。
【図面の簡単な説明】
【図１】  本発明の毛髪の化学物性測定装置の例を示す図である。
【図２】  前記毛髪の化学物性測定装置の動作を説明する図である。
【図３】  前記毛髪の化学物性測定装置の測定部の変形例を示す図である。
【図４】  前記毛髪の化学物性測定装置の別の変形例を示す図である。
【図５】  毛髪のｐＨを測定する従来の方法を説明する図である。
【図６】  毛髪のｐＨを測定する従来の別の方法を説明する図である。
【符号の説明】
１…毛髪の化学物性測定装置、２…装置本体、３…測定部、４…演算手段、５Ａ〜５Ｅ…表示部、６…測定電極、７ａ…第１平面、８…比較電極、９ａ…第２平面、１３，１４，２１…ガイド溝、１５…挟持調節機構、Ｈ…毛髪、Ｔ…通信部。
【図１】
0003817175.tif 000002
【図２】
0003817175.tif 000003
【図３】
0003817175.tif 000004
【図４】
0003817175.tif 000005
【図５】
0003817175.tif 000006
【図６】
0003817175.tif 000007